(57)【要約】【課題】シートベルトを正常に使用しているか否かを検出できる着座状態判別装置、シートベルト装置、及び着座状態判別方法を提供する。【解決手段】シートベルト３は、接触の検出に際し所定の信号を出力する複数のタッチセンサが長尺方向の所定の位置に配置され、一方の端部が座席の第一固定部に固定され、他方の端部から第二固定部の位置で収納部に引き込まれ、バックルに挿入するタングを有し、制御部５は、着座センサ２が着座を検出し、シートベルト検出センサ４が装着を検出したときに、所定の信号を出力したタッチセンサのうち第一固定部の位置から二番目に近いもののシートベルト内の位置と第一固定部の位置との間のシートベルト上の距離と、未使用時のシートベルト３の収納部から出ている部分の長さとの比較結果によりシートベルト３の正常使用を判定する。【選択図】      図1
2014221562.tif 000002
【特許請求の範囲】
【請求項１】
着座を検出する着座センサと、
接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられたバックルに挿入されるタングを有するシートベルトと、
前記タングが前記バックルに装着されたことを検出するシートベルト検出センサと、
前記着座センサが前記着座を検出し、前記シートベルト検出センサが前記装着を検出したときに、前記所定の信号を出力した前記タッチセンサのうち前記第一固定部の位置から二番目に近いものの前記シートベルト内の位置と前記第一固定部の位置との間の前記シートベルト上の距離と、未使用時のシートベルトの前記収納部から出ている部分の長さとの比較結果により前記シートベルトの正常使用を判定する制御部と
を備えたことを特徴とする着座状態判別装置。
【請求項２】
前記制御部は、前記シートベルトの複数の前記タッチセンサのうちの前記所定の信号を出力した前記タッチセンサのうちの前記第一固定部に最も近いタッチセンサの位置を前記タングの位置と判別し、前記所定の信号を出力した前記タッチセンサのうちの前記第一固定部の位置から二番目に近い位置の前記タッチセンサの位置を前記第二固定部の位置と判別し、前記第一固定部の位置から前記第二固定部の位置までの距離を前記シートベルト長として算出し、このシートベルト長が前記初期シートベルト長と略同じであった場合、正常に使用していないことを検出する、
ことを特徴とする請求項１記載の着座状態判別装置。
【請求項３】
前記制御部は、前記シートベルト長が前記初期シートベルト長と略同じでなかった場合、前記シートベルト長が、予め測定しておいた未着座時に前記タングを前記バックルに挿入したときの前記第一固定部の位置から前記第二固定部の位置までの距離を示す未着座時シートベルト長と略同じであった場合に、正常に使用していないことを検出する、  ことを特徴とする請求項２記載の着座状態判別装置。
【請求項４】
バックシートに背を接触していることを検出するバックシートセンサを更に設け、
前記複数のタッチセンサは、指示に基づき接触の検出を行うタッチセンサと近接の検出を行う近接センサとに切り替え可能であり、
前記制御部は、前記シートベルト長が前記未着座時シートベルト長と略同じでなかった場合、前記複数のタッチセンサに近接の検出を行う近接センサへ切り替える指示を出力して、前記複数のタッチセンサを複数の近接センサに切り替え、前記バックシートセンサがバックシートに背を接触していることを検出している場合、前記タングの位置から前記第二固定位置の間での前記所定の信号を出力している前記近接センサのうちの前記第二固定に最も近い前記近接センサの位置をシートベルト装着時における肩の位置とし、装着時以降に前記肩の位置を監視し、この肩の位置が装着時より所定以上増加した場合、車両からのギア信号を調べ、この信号がドライブを示す信号であった場合、前傾姿勢をしていると判定する、
ことを特徴とする請求項３記載の着座状態判別装置。
【請求項５】
前記複数のタッチセンサは、静電容量の増加度を検出する静電容量センサであり、検出した静電容量の増加度が設定された閾値を超えた場合に前記所定の信号を出力し、前記タッチセンサをタッチセンサとして使用するために前記閾値を所定の第一閾値にして設定し、前記タッチセンサを前記近接センサとして使用するために前記閾値を前記第一閾値より小さな所定の第二閾値にして設定する、ことを特徴とする請求項４記載の着座状態判別装置。
【請求項６】
前記制御部は、前記シートベルトが、一方の端部を前記第一固定部に固定し他方の端部側から前記第二固定部の位置で前記収納部に引き込まれた状態で、複数の前記タッチセンサのうちの前記所定の信号を出力した前記タッチセンサのうちの前記第一固定部の位置から最も近い位置の前記タッチセンサの位置を前記第二固定部の位置と判別し、前記第一固定部の位置から前記第二固定部の位置までの距離をシートベルト未使用時の前記初期シートベルト長として予め測定しておく、
ことを特徴とする請求項２記載の着座状態判別装置。
【請求項７】
前記制御部は、座席未使用の場合に前記タングが前記バックルに挿入された状態で、複数の前記タッチセンサのうちの前記所定の信号を出力した前記タッチセンサの位置のうち、前記第一固定部に最も近いタッチセンサの位置を前記タングの位置と判別し、前記所定の信号を出力した前記タッチセンサのうちの前記第一固定部の位置から二番目に近い位置の前記タッチセンサの位置を前記第二固定部の位置と判別し、前記第一固定部の位置から前記第二固定部の位置までの距離を未着座時のシートベルト長を示す前記未着座時シートベルト長として予め測定しておく、
ことを特徴とする請求項３記載の着座状態判別装置。
【請求項８】
請求項１から４のいずれか一項に記載の着座状態判別装置に用いられるシートベルトであって、
一方の端部を前記第一固定部に固定し、他方の端部側から前記第二固定部の位置で前記収納部に引き込まれて収納される帯状のベルトと、
前記帯状のベルト内にこのベルトの長尺方向に並べられ、指示に基づき接触の検出と近接の検出とを切り替え、検出に際し前記所定の信号を出力する前記複数のセンサと、
前記帯状のベルトの一方の端部と他方の端部の間に設定され、前記座席の他端側に設けられた前記バックルに挿入する前記タングと、
を備えたことを特徴とするシートベルト。
【請求項９】
前記複数のセンサは、静電容量の増加度を検出する静電容量センサであり、前記検出した静電容量の増加度が設定された閾値を超えた場合に前記所定の信号を出力する、ことを特徴とする請求項８記載のシートベルト。
【請求項１０】
着座を検出し、
タングがバックルに装着されたことを検出したときに、
接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられた前記バックルに挿入される前記タングを有するシートベルトに配置された前記所定の信号を出力した前記タッチセンサのうち前記第一固定部の位置から二番目に近いものの前記シートベルト内の位置と、前記第一固定部の位置との間の前記シートベルト上の距離とを求め、
この求めた前記距離と未使用時のシートベルトの前記収納部から出ている部分の長さとの比較結果により前記シートベルトの正常使用を判定する、
ことを特徴とする着座状態判別方法。
【発明の詳細な説明】
【技術分野】
【０００１】
本発明は、着座状態判別装置、シートベルト装置、及び着座状態判別方法に関し、シートベルトを正常に使用しているか否かを検出する着座状態判別装置、シートベルト装置、及び着座状態判別方法に関する。
【背景技術】
【０００２】
自動車等に乗車するときには、シートベルトを使用することが義務付けられている。しかし、シートベルトを使用しないで乗車することも可能であるので、不注意でシートベルトを使用せずに乗車し続けることも有りうる。
【０００３】
シートベルトの使用を検出できる技術が特許文献１に開示されている。特許文献１に開示のシートベルト巻取装置は、乗員がシートベルトを引き出して装着し、タングをバックルに係合させると、シートベルトを巻き取る。シートベルトは、装着時に乗員に接触する可能性のある部分にフレキシブル電極が設けられている。そして、このフレキシブル電極と車体との間の静電容量により、シートベルトと乗員の密着の度合いを測定する。そして、測定された静電容量が予め定められた範囲に入ったときに巻取を停止する。このように、特許文献１に開示のシートベルト巻取装置は、測定したフレキシブル電極と車体との間の静電容量（密着の度合）が予め定められた範囲に入ったときに巻取を停止するようにしている。このことから、座席に居る乗員がシートベルトを自身に密着して使用していることが検出できる。
【先行技術文献】
【特許文献】
【０００４】
【特許文献１】特開２００２−１２７８７１号公報
【発明の概要】
【発明が解決しようとする課題】
【０００５】
上述した特許文献１に開示のシートベルト巻取装置は、シートベルトに設けられたフレキシブル電極と車体との間の静電容量（密着の度合）を測定するのみである。このため、シートベルトを使用していることは検出できるものの、シートベルトを正常に使用しているか否かは検出できない。シートベルトを正常に使用していないとは、シートベルトに設定されているタングが座席の近辺にあるバックルに入っていない。タングがバックルに入っているものの、乗員がシートベルトの上等に乗っている等、乗員がシートベルトをたすき掛けしていない。また、たすき掛けしているものの、乗員が前傾姿勢を採っていて座席のバックシートに背をつけていない等である。
【０００６】
シートベルトを正常に使用していない状態で車両等を運転し、他車両等との衝突事故等が発生した場合には、乗員が、車外に飛び出したり車両のフロントガラス等に頭をぶつける等、危険である。また、シートベルトを正常に使用していない状態での運転は、交通違反になるおそれがある。
【０００７】
本発明の目的は、上記課題を解決して、シートベルトを正常に使用しているか否かを検出できる着座状態判別装置、シートベルト装置、及び着座状態判別方法を提供することである。
【課題を解決するための手段】
【０００８】
本発明の着座状態判別装置は、着座を検出する着座センサと、接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられたバックルに挿入されるタングを有するシートベルトと、前記タングが前記バックルに装着されたことを検出するシートベルト検出センサと、前記着座センサが前記着座を検出し、前記シートベルト検出センサが前記装着を検出したときに、前記所定の信号を出力した前記タッチセンサのうち前記第一固定部の位置から二番目に近いものの前記シートベルト内の位置と前記第一固定部の位置との間の前記シートベルト上の距離と、未使用時のシートベルトの前記収納部から出ている部分の長さとの比較結果により前記シートベルトの正常使用を判定する制御部と、を備えている。
【０００９】
本発明のシートベルトは、本発明の着座状態判別装置に用いられるシートベルトであって、一方の端部を前記第一固定部に固定し、他方の端部側から前記第二固定部の位置で前記収納部に引き込まれて収納される帯状のベルトと、前記帯状のベルト内にこのベルトの長尺方向に並べられ、指示に基づき接触の検出と近接の検出とを切り替え、検出に際し前記所定の信号を出力する前記複数のセンサと、前記帯状のベルトの一方の端部と他方の端部の間に設定され、前記座席の他端側に設けられた前記バックルに挿入する前記タングと、を備えている。
【００１０】
本発明の着座状態判別方法は、着座を検出し、タングがバックルに装着されたことを検出したときに、接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられた前記バックルに挿入される前記タングを有するシートベルトに配置された前記所定の信号を出力した前記タッチセンサのうち前記第一固定部の位置から二番目に近いものの前記シートベルト内の位置と、前記第一固定部の位置との間の前記シートベルト上の距離とを求め、この求めた前記距離と未使用時のシートベルトの前記収納部から出ている部分の長さとの比較結果により前記シートベルトの正常使用を判定する、ようにしている。
【発明の効果】
【００１１】
本発明によれば、シートベルトを正常に使用しているか否かを検出できる着座状態判別装置、シートベルト装置、及び着座状態判別方法を提供することができる。
【図面の簡単な説明】
【００１２】
【図１】本発明の第１の実施の形態及び本発明の第２の実施の形態に係る着座状態判別装置の一例を示す図である。
【図２】本発明の第２の実施の形態に係る着座状態判別装置の動作の一例を示すフローチャートである。
【図３】本発明の第２の実施の形態に係る着座状態判別装置に使用するシートベルトの使用状況を示す図である。
【図４】本発明の第２の実施の形態に係る着座状態判別装置に使用するシートベルトに設定された複数の静電容量センサの配置状態を示す図である。
【図５】本発明の第２の実施の形態に係る着座状態判別装置の動作のうちの初期シートベルト長及び未着座時シートベルト長を測定する動作の一例を示すフローチャートである。
【図６】本発明の第３の実施の形態に係る着座状態判別装置の一例を示す図である。
【図７】本発明の第３の実施の形態に係る着座状態判別装置の動作の一例を示すフローチャートである。
【発明を実施するための形態】
【００１３】
次に、本発明の実施の形態について図面を参照して説明する。
（第１の実施の形態）
図１は、本発明の第１の実施の形態に係る着座状態判別装置の一例を示す図である。
【００１４】
本実施の形態に係る着座状態判別装置１は、着座センサ２と、シートベルト３と、シートベルト検出センサ４と、制御部５とにより構成される。着座状態判別装置１は、例えば自動車等の車両に設定される。
【００１５】
着座センサ２は、乗員の着座を検出するセンサである。シートベルト３は、接触の検出に際し所定の信号を出力する複数のタッチセンサが長尺方向の所定の位置に配置されている。そして、一方の端部が座席の第一固定部（不図示）に固定され、他方の端部から第二固定部（不図示）の位置で収納部（不図示）に引き込まれる。そして、一方の端部と他方の端部の間にシートベルト３の長尺方向にスライド可能に配置され座席の他端側に設けられたバックルに挿入されるタングを有する。シートベルト検出センサ４は、タングがバックルに装着されたことを検出することにより、シートベルト３が使用されていることを検出するセンサである。
【００１６】
制御部５は、着座センサ２が着座を検出し、シートベルト検出センサ４が装着を検出したときに、所定の信号を出力したタッチセンサのうち第一固定部の位置から二番目に近いもののシートベルト内の位置を求める。所定の信号とは、接触を検出したことを示す、例えばＯＮの出力信号である。また、第一固定部の位置との間のシートベルト上の距離（シートベルト長）とを求める。シートベルト長は、収納部（不図示）から車内に出ている部分を示す。そして、この求めたシートベルト長と予め測定しておいたシートベルト３未使用時のシートベルト長（初期シートベルト長）とを比較する。初期シートベルト長は、シートベルト３未使用時のシートベルト３の収納部から出ている部分の長さである。そして、この比較結果によりシートベルト３の正常使用を判定する。
【００１７】
このように、本実施の形態によれば、着座センサ２が着座を検出し、シートベルト検出センサ４がシートベルト３が使用されていることを検出したときに、複数のタッチセンサの出力信号を調べる。そして、ＯＮの出力信号を出力したタッチセンサのシートベルト３内の位置と第一固定部の位置とに基づいて、使用しているシートベルト３の長さを算出する。そして、このシートベルト長と、シートベルト３未使用時の初期シートベルト長とを比較することにより、シートベルト３の正常使用を判定する。
【００１８】
このように、本実施の形態によれば、シートベルトを正常に使用しているか否かを検出できる。
（第２の実施の形態）
図１は、本発明の第２の実施の形態に係る着座状態判別装置の一例を示す図であり、本発明の第１の実施の形態に係る着座状態判別装置の一例を示す図と同じである。本実施の形態は、第１の実施の形態の動作を具体化したものである。
【００１９】
本実施の形態に係る着座状態判別装置１は、着座センサ２と、シートベルト３と、シートベルト検出センサ４と、制御部５とにより構成される。着座状態判別装置１は、例えば自動車等の車両に設定される。
【００２０】
着座センサ２は例えば圧力センサであり車両の座席の腰掛部分にシート状に設定される。そして、乗員が着座しているときにＯＮの出力信号を出力する。
【００２１】
シートベルト３は、車両の座席に着座した乗員の体の前面で乗員の体を支えるように設定する帯状のベルトである。シートベルト３には、複数のセンサが帯状のシートベルト３の長尺方向にシートベルト３の端部から並べてある。複数のセンサのうちのＯＮの出力信号を出力したセンサまでのシートベルト３の端部からの距離は、シートベルト３内に並べられたセンサの位置、すなわち、センサの番号（例えばｎ（１からの整数）番）に基づいて求められる。すなわち、センサの幅、センサ間の間隔は予め定められており、センサの番号に基づいて、シートベルト３の端部からの長さが求められる。シートベルト３は、帯状のベルトの一方の端部を座席の一端側の第一固定部（不図示）に固定し、他方の端部側から車両内に設定される第二固定部（不図示）の位置で収納部（不図示）に引き込まれる。そして、一方の端部と他方の端部の間に設定され座席の他端側に設けられたバックルに挿入するタングを有する。
【００２２】
複数のセンサは、例えば静電容量センサである。以後、センサを静電容量センサと記載する。この複数の静電容量センサは、静電容量の増加度を検出しこの増加度が、制御部５により設定された閾値を超えた場合にＯＮの出力信号を出力する。
【００２３】
シートベルト検出センサ４は、シートベルト３の使用状況を検出し、シートベルト３が使用されているときにＯＮの出力信号を出力する。すなわち、シートベルト検出センサ４は、例えば、座席の一端に設定されたバックル内に配置され、タングがバックルに装着されているときにＯＮの出力信号を出力する。
【００２４】
制御部５は、着座センサ２が着座を検出し、シートベルト検出センサ４がシートベルト３が使用されていることを検出したときに、複数の静電容量センサをタッチセンサとして使用するための所定の第一閾値をシートベルト３に設定する。そして、シートベルト３の備えた複数の静電容量センサの出力信号を調べる。
そして、第二固定部（不図示）の位置を示す、ＯＮの出力信号を出力した静電容量センサのうちの第一固定部（不図示）の位置から二番目に近い位置の静電容量センサのシートベルト３内の位置と、第一固定部の位置とに基づいてシートベルト長（Ｌａｌｌ）を算出する。
シートベルト長（Ｌａｌｌ）は、収納部（不図示）から車内に出ている部分を示す。そして、この算出したシートベルト長（Ｌａｌｌ）と、予め測定しておいたシートベルト未使用時のシートベルト長（初期シートベルト長（Ｌａｌｌ１））とを比較することにより、シートベルト３を正常に使用しているか否かを検出する。
【００２５】
ここで、静電容量センサについて説明する。静電容量センサは、予めコンデンサ等の静電容量を備えている。そして、静電容量をもった物質(人体、金属等)が静電容量センサに近づくと、この備えた静電容量が変化する。静電容量センサはこの静電容量の変化の度合いを検出して、静電容量をもった物質の接近度を検出するものである。静電容量センサでは、内部回路に設けたコンデンサ等の充放電の時間の変化で静電容量の変化を検出する方式がよく知られている。この方式の静電容量センサは、静電容量をもった物質が静電容量センサに近づくと充放電時間が増加するため、この増加の度合いが所定の閾値を超えた場合にＯＮの出力信号を出力する。例えば、静電容量センサをタッチセンサとして使用する場合は、タングや第二固定部が完全に静電容量センサと接することから、タングや第二固定部と接する静電容量センサの充放電時間が大幅に増加すると予想される。このため、例えば、第一閾値を５０％とし、静電容量センサの有する静電容量が、物質が静電容量センサに影響を与えていない状態のときの静電容量より５０％増加した場合にＯＮの出力信号を出力するようにする。但し、静電容量センサの充放電時間は、静電容量センサの外部回路、静電容量センサへの設定値、環境温度、湿度、シートベルト状況等の、静電容量センサの使用環境により最適な値が異なるので、第一閾値の値（５０％）は静電容量センサの使用環境により適宜変更して良い。また、上記では、一例として静電容量の増加の度合いを充放電時間の増加の度合いとして検出する例を示したが、静電容量の増加の度合いを電圧の増加や電流の増加等で検出する等、静電容量の増加の度合いが検出できるのであればどのような方式でも良い。
【００２６】
次に、本実施の形態に係る着座状態判別装置の動作を図２、図３、図４及び図５を参照して説明する。
【００２７】
図２は、本実施の形態に係る着座状態判別装置の動作の一例を示すフローチャートである。
【００２８】
図３は、本実施の形態に係る着座状態判別装置に使用するシートベルト３の使用状況を示す図である。シートベルト３は、引張り強さに優れた例えばポリエステル繊維を編んだ帯状のベルトである。シートベルト３は、一方の端部を座席の一端側の第一固定部６に固定し、他方の端部側から車両（例えば、車体）に設定される第二固定部７の位置で収納部１０（例えば、ピラー）にシートベルト巻取り装置等により引き込まれて収納される。尚、図３では、シートベルト３は第二固定部７の位置で収納部１０（例えば、ピラー）に収納されるようにしている。しかし、シートベルト３は、第二固定部７の位置を経由して車体に取り付けられたシートベルト巻取り装置により引き込まれれば良く、収納部１０は、具体的な容器等でなく車内の空間であっても良い。そして、一方の端部と他方の端部の間にタング８を備え、このタング８を座席の他端側に設けられたバックル９に挿入することにより、座席に着座した乗員の体の前面で乗員の体を支える。
【００２９】
図４は、本実施の形態に係る着座状態判別装置に使用するシートベルトに設定された複数の静電容量センサの配置状態を示す図である。シートベルト３は、一方の端部を第一固定部６に固定し、第一固定部６の位置（例えば、この位置を０ｍｍの位置とする）は予め制御部５に通知されている。静電容量センサ１１（斜線で示す）は、１番目からｎ（ｎは整数）番目までのｎ個設定され、第一固定部６に所定の間隔（例えば、５ｍｍ）を開けて設定した第１静電容量センサ１１から第ｎ静電容量センサ１１まで、所定の間隔（例えば、５ｍｍ）で設定してある。各静電容量センサ１１の幅は例えば３ｍｍ。静電容量センサ１１は、乗員が座席に座りシートベルト３を収納部１０（例えば、ピラー）から引き出し、タング８をバックル９に挿入した状態の第一固定部６から第二固定部７までの間で必要となる。静電容量センサ１１は、乗員の体格を考慮し、この第一固定部６から第二固定部７までの必要個所に加えて、例えば、第二固定部７からシートベルト巻取り装置までの個所に設定する。静電容量センサ１１のシートベルト３への設定個数は、車両により適宜決定して良い。
【００３０】
図５は、本実施の形態に係る着座状態判別装置の動作のうちの初期シートベルト長及び未着座時シートベルト長を測定する動作の一例を示すフローチャートである。初期シートベルト長とは、シートベルト未使用時のシートベルト３の収納部１０から車内に出ている部分を示す長さである。未着座時シートベルト長とは、乗員が座席にいない状態でタング８がバックル９に挿入されてシートベルト３が収納部１０内から引き出された状態のときの、シートベルト３の収納部１０から車内に出ている部分を示す長さである。これらの測定動作は、例えば車の製造元等の作業員等の操作により実行される。
【００３１】
図５のステップＡ１では、制御部５は、複数の静電容量センサ１１をタッチセンサとして使用するための所定の第一閾値をシートベルト３の複数の静電容量センサに設定する。このとき、乗員が座席にいない状態で、例えば車の製造元等の作業員等の操作により、シートベルト３が一方の端部を第一固定部６に固定し他方の端部側から第二固定部７の位置で収納部１０に引き込まれた状態にしておく。
【００３２】
図５のステップＡ２では、制御部５は、シートベルト３の備えた複数の静電容量センサ１１の出力信号を調べる。そして、第二固定部７の位置に対応する、ＯＮの出力信号を出力した静電容量センサ１１のうちの第一固定部６の位置から二番目に近い位置の静電容量センサ１１の位置を検出する。ちなみに、タング８の位置に対応する静電容量センサ１１の位置は、ＯＮの出力信号を出力した静電容量センサ１１のうちの第一固定部６の位置から一番目に近い位置の静電容量センサ１１の位置である。すなわち、このとき、乗員が座席にいない状態で、シートベルト３の一方の端部が第一固定部６に固定され他方の端部側から第二固定部７の位置で収納部１０に引き込まれている。このため、第二固定部７とタング８との二つが、シートベルト３内の静電容量センサ１１にタッチすることになる。このため、ＯＮの出力信号を出力した静電容量センサ１１のうちの第一固定部６の位置から一番目に近い位置の静電容量センサ１１の位置がタング８の位置に対応する。そして、第一固定部６の位置から二番目に近い位置の静電容量センサ１１の位置が第二固定部の位置に対応する。
【００３３】
図５のステップＡ３では、制御部５は、第一固定部６の位置から第二固定部７の位置に対応する静電容量センサ１１のシートベルト３内の位置までの距離をシートベルト未使用時の初期シートベルト長（Ｌａｌｌ１）として、例えば記憶部（不図示）に格納しておく。
【００３４】
次に、図５のステップＡ４では、制御部５は、乗員が座席にいない場合に、作業員等の操作によりタング８がバックル９に挿入されシートベルト３が収納部１０内から引き出された状態で、シートベルト３の備えた複数の静電容量センサ１１の出力信号を調べる。そして、複数の静電容量センサ１１のうちのＯＮの出力信号を出力した静電容量センサ１１の位置のうち、第一固定部６に最も近い静電容量センサ１１の位置をタング８の位置（Ｗ）と判別し、例えば記憶部（不図示）に格納しておく。
【００３５】
また、図５のステップＡ５では、制御部５は、ＯＮの出力信号を出力した静電容量センサ１１のうちの第一固定部６の位置から二番目に近い位置の静電容量センサ１１の位置を第二固定部７の位置と判別する。
【００３６】
図５のステップＡ６では、制御部５は、第一固定部６の位置から第二固定部７の位置までの距離を乗員の未着座時のシートベルト長を示す未着座時シートベルト長（Ｌａｌｌ２）として、例えば記憶部（不図示）に格納しておく。
【００３７】
ここで、図２のフローチャートを使用して着座状態判別装置の動作を説明する。
【００３８】
図２のステップＳ１では、制御部５は、図５のフローチャートで示すようにして、シートベルト未使用時の初期シートベルト長（Ｌａｌｌ１）、未着座時の未着座時シートベルト長（Ｌａｌｌ２）、及びタング８の位置（Ｗ）を予め測定しておき、例えば記憶部（不図示）に格納しておく。この操作は、例えば車の製造元等の作業員等により予め実行しておく。
【００３９】
図２のステップＳ２では、制御部５は、着座センサ２がＯＮの出力信号を出力するまで待つ。乗員が着座すると、着座センサ２が乗員の着座を検出しＯＮの出力信号を出力し、ステップＳ３へ進む。
【００４０】
図２のステップＳ３では、制御部５は、シートベルト検出センサ４の出力を調べる。シートベルト検出センサ４がＯＮの出力信号を出力して場合には、タング８がバックル９に装着され、シートベルト３が使用されていると判定し、ステップＳ５へ進む。シートベルト検出センサ４がＯＮの出力信号を出力していない場合には、シートベルト３が使用されていないと判定し、ステップＳ４へ進む。
【００４１】
図２のステップＳ４では、制御部５は、警報部（不図示）にシートベルト３の着用を促す警報の出力を指示して、警報部にシートベルト３の着用を促す警報を出力させる。そして、図２のステップＳ３へ戻る。
【００４２】
図２のステップＳ５では、制御部５は、複数の静電容量センサ１１をタッチセンサとして使用するための所定の第一閾値をシートベルト３の複数の静電容量センサ１１に設定する。
【００４３】
図２のステップＳ６では、制御部５は、シートベルト３の備えた複数の静電容量センサ１１の出力信号を調べる。そして、第二固定部７の位置に対応する、ＯＮの出力信号を出力した静電容量センサ１１のうちの第一固定部６の位置から二番目に近い位置の静電容量センサ１１の位置を検出する。そして、この静電容量センサ１１のシートベルト３内の位置と第一固定部６の位置とから第二固定部７の位置を求める。ちなみに、タング８の位置に対応する静電容量センサ１１に位置は、ＯＮの出力信号を出力した静電容量センサ１１のうちの第一固定部６の位置から一番目に近い位置の静電容量センサ１１に位置である。
【００４４】
図２のステップＳ７では、制御部５は、第一固定部６の位置から第二固定部７の位置までの距離を求めシートベルト長（Ｌａｌｌ）とする。
【００４５】
図２のステップＳ８では、制御部５は、このシートベルト長（Ｌａｌｌ）と、ステップＳ１で予め測定し記憶部（不図示）に格納しておいたシートベルト未使用時の初期シートベルト長（Ｌａｌｌ１）とを比較する。そして、シートベルト長（Ｌａｌｌ）と初期シートベルト長（Ｌａｌｌ１）とが略同じでなかった場合、シートベルト３を正常に使用していると判定し、図２のステップＳ１０へ進む。また、略同じであった場合、シートベルト３を正常に使用していないと判定し、図２のステップＳ９へ進む。ここで略同じとは、例えば、静電センサ２個分（（幅３ｍｍ+間隔５ｍｍ）×２）以内のシートベルト３の長さである。この長さにこだわることなく、実験等により適宜変更して良い。
【００４６】
図２のステップＳ９では、制御部５は、異物がバックル９に装着されたと判定し警報部（不図示）に異物がバックル９に装着されたことを示す警報の出力を指示する。そして、警報部に異物がバックル９に装着されたことを示す警報を出力させる。そして、図２のステップＳ６へ戻る。
【００４７】
ここで、制御部５が、異物がバックル９に装着されたと判定した理由を説明する。
すなわち、制御部５は、図２のステップＳ３でシートベルト検出センサ４がＯＮであるので、タング８がバックル９に挿入されていると判定している。
そして、図２のステップＳ７で、制御部５は、第一固定部６の位置から第二固定部７の位置までの距離を示すシートベルト長を求めた。このシートベルト長は、タング８がバックル９に挿入されているのであれば、初期シートベルト長（シートベルト未使用時（タング８がバックル９に挿入されていないとき）のシートベルト長）より長い（略同じでない）はずである。しかし、制御部５は、図２のステップＳ８で、シートベルト長は、初期シートベルト長と略同じと判定した。すなわち、シートベルト長が初期シートベルト長と略同じであるので、タング８はバックル９に挿入されていない。しかし、シートベルト検出センサ４はＯＮであった。このため、バックル９内に異物が入り込み、タング８がバックル９に挿入されていないにもかかわらず、シートベルト検出センサ４がＯＮになったと予想し、異物がバックル９に装着されたと判定している。
【００４８】
図２のステップＳ１０では、制御部５は、シートベルト長と、ステップＳ１で予め測定し記憶部（不図示）に格納しておいた未着座時シートベルト長とを比較する。そして、シートベルト長と未着座時シートベルト長とが略同じであった場合に、正常に使用していないと判定し、図２のステップＳ１１へ進む。シートベルト長と未着座時シートベルト長とが略同じであった場合には、例えば、乗員が座席の着座する個所のシートベルト３の上に、また、座席のバックシート（背もたれの個所）のシートベルト３の前に座っている等と判断する。シートベルト長と未着座時シートベルト長とが略同じでなかった場合には、正常に使用していると判定し、終了する。
【００４９】
図２のステップＳ１１では、制御部５は、警報部（不図示）に不正使用を示す警報の出力を指示し、警報部に不正使用を示す警報を出力させる。そして、図２のステップＳ６へ戻る。
【００５０】
このように、本実施の形態によれば、着座センサ２が着座を検出し、シートベルト検出センサ４がシートベルト３が使用されていることを検出したときに、複数の静電容量センサ１１をタッチセンサとして使用する。そして、複数の静電容量センサ１１の出力信号を調べる。そして、ＯＮの出力信号を出力した静電容量センサ１１のシートベルト３内の位置と第一固定部の位置とに基づいて、収納部から車内に出ている部分を示すシートベルト長、すなわち、使用しているシートベルト３の長さを算出する。そして、この算出したシートベルト長と、予め測定しておいたシートベルト未使用時のシートベルト長（初期シートベルト長）とを比較することにより、シートベルト３を正常に使用しているか否かを検出する。
【００５１】
また、本実施の形態によれば、シートベルト長が初期シートベルト長と略同じでなかった場合、正常にタング８がバックル９に挿入され、シートベルト３が引き出されていると判断する。そして、シートベルト長と予め測定しておいた未着座時シートベルト長とを比較しシートベルト長と未着座時シートベルト長とが略同じであった場合に、シートベルト３を正常に使用していないことを検出する。
【００５２】
このように、本実施の形態によれば、シートベルトを正常に使用しているか否かを検出できる。
（第３の実施の形態）
図６は、本発明の第３の実施の形態に係る着座状態判別装置の一例を示す図である。
【００５３】
本第３の実施の形態は、第２の実施の形態にバックシートセンサ１２を追加したものである。そして、第２の実施の形態の動作に他の動作（乗員が前傾姿勢をしているか否かを判定する動作）を追加したものである。本実施の形態の動作は、第２の実施の形態でシートベルト長と未着座時シートベルト長とを比較した結果、シートベルト長が未着座時シートベルト長と略同じでなかった場合の動作である。ここでは、第２の実施の形態の動作に追加した他の動作について説明し、第１の実施の形態及び第２の実施の形態で説明した内容は省いている。
【００５４】
本実施の形態に係る着座状態判別装置１は、着座センサ２と、シートベルト３と、シートベルト検出センサ４と、制御部５と、バックシートセンサ１２とにより構成される。
【００５５】
バックシートセンサ１２は、例えば圧力センサであり座席のバックシート（背もたれ）部分にシート状に設定される。そして、乗員が、バックシートに背を接触させもたれかかっているときにＯＮの出力信号を出力する。
【００５６】
制御部５は、第２の実施の形態でシートベルト長（Ｌａｌｌ）と未着座時シートベルト長（Ｌａｌｌ２）とを比較した結果、シートベルト長が未着座時シートベルト長と略同じでなかった場合、シートベルト３が正常に使用されていると判断する。そして、シートベルト３の有する複数の静電容量センサ１１を近接センサとして使用するために所定の第二閾値をシートベルト３に設定する。この場合、静電容量センサ１１が乗員の身体へ近接した場合、ＯＮの出力信号を出力するように設定する。
【００５７】
ここで、静電容量センサ１１へ設定する第二閾値について説明する。静電容量センサ１１を近接センサとして使用して乗員の身体を検出する場合、シートベルト３の素材と乗員の衣類とが静電容量センサ１１と身体との間に入るため、静電容量センサ１１の感度は大幅に悪くなると考えられる。特に冬場のコートを着用している場合なども考慮すると、静電容量センサ１１は、身体との間との距離が１.５ｃｍ〜２ｃｍ程度であっても身体を検出することが求められる。この距離（１.５ｃｍ〜２ｃｍ程度）に近づいた場合の、静電容量センサ１１の静電容量の増加の度合いは、第１の実施の形態で説明した静電容量センサ１１をタッチセンサとして使用する場合と比較して少なくなることが予想される。このため、第二閾値を１０％とし、静電容量センサ１１の有する静電容量が１０％増加した場合にＯＮの出力信号を出力するようにする。但し、第１の実施の形態で説明したように、静電容量センサ１１の静電容量の変化の度合いは、静電容量センサ１１の使用環境により最適な値が異なるので、第二閾値の値（１０％）はシステムより適宜変更して良い。
【００５８】
そして、制御部５は、バックシートセンサ１２が、乗員がバックシートに背を接触させもたれ掛かっていることを検出している場合、タング８の位置（Ｗ）から第二固定部７の位置（Ｓ）の間でのＯＮの出力信号を出力している静電容量センサ１１を調べる。そして、ＯＮの出力信号を出力している静電容量センサ１１のうちの第二固定部７に最も近い静電容量センサ１１の位置を乗員のシートベルト３装着時における肩の位置（ＳＨ）とする。そして、装着時以後に肩の位置（ＳＨ）を監視し、この肩の位置（ＳＨ）が装着時より所定量以上増加した場合、車両からのギア信号を調べ、この信号がドライブを示す信号であった場合、乗員が前傾姿勢をしていると判定する。そして、装着時以後に肩の位置（ＳＨ）（すなわち、肩の位置（ＳＨ）に対応する静電容量センサ１１の位置）を監視し、この監視した肩の位置（ＳＨ）が装着時の肩の位置（ＳＨ）より所定量以上増加した場合、車両からのギア信号を調べる。そして、この調べた信号がドライブを示す信号であった場合、車両が前進し運転者は正面を向いているにも関わらず肩の位置が増加するので、乗員が前傾姿勢をしていると判定する。ここで“肩の位置（ＳＨ）が増加する“とは、肩の位置（ＳＨ）に対応する静電容量センサ１１の位置（すなわち、図４で示す静電容量センサ１１の番号）が増加することを示す。
【００５９】
次に、本実施の形態に係る着座状態判別装置の動作を図７を参照して説明する。
【００６０】
図７は、本実施の形態に係る着座状態判別装置の動作の一例を示すフローチャートである。
【００６１】
図７のステップＳ１では、制御部５は、第２の実施の形態でシートベルト長と未着座時シートベルト長とを比較した結果、シートベルト長が未着座時シートベルト長と略同じでなかった場合、シートベルト３が正常に使用されていると判断する。そして、複数の静電容量センサ１１を近接センサとして使用するための所定の第二閾値をシートベルト３に設定する。このとき、静電容量センサ１１は近接センサとして動作するので、タング８、第二固定部７、及び身体の部分でＯＮの出力信号を出力する。
【００６２】
図７のステップＳ２では、制御部５は、バックシートセンサ１２がＯＮの出力信号を出力するまで待つ。乗員がバックシートに背を接触させると、バックシートセンサ１２がＯＮの出力信号を出力し、ステップＳ３へ進む。
【００６３】
図７のステップＳ３では、制御部５は、図２のステップＳ１で記憶部（不図示）に格納しておいたシートベルト３上のタング８の位置（Ｗ）から第二固定部７の方向のＯＮの出力信号を連続して出力している静電容量センサ１１を調べる。そして、ＯＮの出力信号を連続して出力している静電容量センサ１１のうちの、シートベルト３内での静電容量センサ１１の位置の連続性が途絶えた位置の静電容量センサ１１の位置を乗員のシートベルト３装着時における肩の位置（ＳＨ）とする。これは、身体を検出する静電容量センサ１１の位置は連続していることを利用したものである。この装着時の肩の位置（ＳＨ）は、肩の位置（ＳＨ）を連続して測定し、この測定結果が安定した後のもの等を採用しても良い。この装着時の肩の位置（ＳＨ）を、乗員の正しい姿勢での肩の位置（ＳＨ）とする。
【００６４】
図７のステップＳ４では、制御部５は、装着時の肩の位置（ＳＨ）の決定後、肩の位置（ＳＨｔ）を監視する。すなわち、ステップＳ３での動作と同様に、ＯＮの出力信号を連続して出力している静電容量センサ１１のうちの、シートベルト３内での静電容量センサ１１の位置の連続性が途絶えた位置の静電容量センサ１１の位置を肩の位置（ＳＨｔ）として監視する。そして、監視した肩の位置（ＳＨｔ）が装着時の肩の位置（ＳＨ）より所定量（例えば、静電容量センサ１１の数で１０）以上増加したか否かを調べる。所定量を示す静電容量センサ１１の数（１０）は、この数にこだわることなく適宜変更して良い。そして、調べた結果が所定量以上増加したことを示す場合は、ステップＳ５へ進む。
【００６５】
図７のステップＳ５では、制御部５は、車両からギア信号を受け、この信号がドライブを示す信号であるか否かを調べる。調べた結果が、ドライブを示す信号を示さない場合は、ステップＳ４へ戻る。調べた結果が、ドライブを示す信号を示す場合は、乗員が前傾姿勢をしていると判定し、ステップＳ６へ進む。
【００６６】
図７のステップＳ６では、制御部５は、警報部（不図示）に乗員が前傾姿勢をしていることを示す警報の出力を指示し、警報部に乗員が前傾姿勢をしていることを示す警報を出力させ、ステップＳ４へ戻る。
【００６７】
尚、図７のステップＳ５で、ギア信号がドライブを示す信号の場合に、乗員が前傾姿勢をしていると判定し警報の出力を指示した。しかし、このとき、制御部５は、更に、車両から車速信号（走行速度）を受け、この車速信号が時速１０ｋｍ/ｈ以下を示すときには、例えば乗員が駐車する際の周辺確認等をしていることを想定し、警報の出力を指示しないようにしても良い。また、制御部５が前傾姿勢を検出し、ギア信号がドライブを示す信号であり、車速信号が時速１０ｋｍ/ｈ以下を示す場合が、頻繁（例えば、５分間隔）に起こるような場合を想定する。このような場合には、乗員がカーナビ等を操作していると想定し、周辺機器への操作を控え運転に集中するような警報の出力を指示しても良い。
【００６８】
尚、以上の説明では、例えば、図３で収納部１０を車体に設けたが、収納部１０を座席に設けても良い。このときには、座席の例えば上部の端部に第二固定部を設けこの第二固定部の位置からシートベルト３を座席内部に設けた収納部１０に収納する。この場合、収納部１０は座席内部の空間でも良い。
【００６９】
このように、本実施の形態によれば、シートベルト長が未着座時シートベルト長と略同じでなかった場合、シートベルト３が正常に使用されていると判断する。そして、複数の静電容量センサ１１を近接センサとして使用して複数の静電容量センサ１１の出力信号を調べる。そして、バックシートセンサ１２がＯＮの場合に、シートベルト３装着時における肩の位置を検出する。そして、装着時以降に肩の位置を監視し、この肩の位置が装着時より所定量以上増加した場合、車両からギア信号を受け、この信号がドライブを示す信号であった場合、乗員が前傾姿勢をしていると判定し、シートベルト３を正常に使用していないことを検出する。
【００７０】
このように、本実施の形態によれば、シートベルトを正常に使用しているか否かを検出できる。
【００７１】
尚、上記の説明では、自動車等の座席について説明したが、本発明は、自動車等の座席にこだわることなく、シートベルトを有していればどのような座席であっても適用可能である。
【００７２】
上記の実施形態の一部または全部は、以下の付記のように記載され得るが、以下には限られない。
（付記１）
着座を検出する着座センサと、
接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられたバックルに挿入されるタングを有するシートベルトと、
前記タングが前記バックルに装着されたことを検出するシートベルト検出センサと、
前記着座センサが前記着座を検出し、前記シートベルト検出センサが前記装着を検出したときに、前記所定の信号を出力した前記タッチセンサのうち前記第一固定部の位置から二番目に近いものの前記シートベルト内の位置と前記第一固定部の位置との間の前記シートベルト上の距離と、未使用時のシートベルトの前記収納部から出ている部分の長さとの比較結果により前記シートベルトの正常使用を判定する制御部と
を備えたことを特徴とする着座状態判別装置。
（付記２）
前記制御部は、前記シートベルトの複数の前記タッチセンサのうちの前記所定の信号を出力した前記タッチセンサのうちの前記第一固定部に最も近いタッチセンサの位置を前記タングの位置と判別し、前記所定の信号を出力した前記タッチセンサのうちの前記第一固定部の位置から二番目に近い位置の前記タッチセンサの位置を前記第二固定部の位置と判別し、前記第一固定部の位置から前記第二固定部の位置までの距離を前記シートベルト長として算出し、このシートベルト長が前記初期シートベルト長と略同じであった場合、正常に使用していないことを検出する、
ことを特徴とする付記１記載の着座状態判別装置。
（付記３）
前記制御部は、前記シートベルト長が前記初期シートベルト長と略同じでなかった場合、前記シートベルト長が、予め測定しておいた未着座時に前記タングを前記バックルに挿入したときの前記第一固定部の位置から前記第二固定部の位置までの距離を示す未着座時シートベルト長と略同じであった場合に、正常に使用していないことを検出する、  ことを特徴とする付記２記載の着座状態判別装置。
（付記４）
バックシートに背を接触していることを検出するバックシートセンサを更に設け、
前記複数のタッチセンサは、指示に基づき接触の検出を行うタッチセンサと近接の検出を行う近接センサとに切り替え可能であり、
前記制御部は、前記シートベルト長が前記未着座時シートベルト長と略同じでなかった場合、前記複数のタッチセンサに近接の検出を行う近接センサへ切り替える指示を出力して、前記複数のタッチセンサを複数の近接センサに切り替え、前記バックシートセンサがバックシートに背を接触していることを検出している場合、前記タングの位置から前記第二固定位置の間での前記所定の信号を出力している前記近接センサのうちの前記第二固定に最も近い前記近接センサの位置をシートベルト装着時における肩の位置とし、装着時以降に前記肩の位置を監視し、この肩の位置が装着時より所定以上増加した場合、車両からのギア信号を調べ、この信号がドライブを示す信号であった場合、前傾姿勢をしていると判定する、
ことを特徴とする付記３記載の着座状態判別装置。
（付記５）
前記複数のタッチセンサは、静電容量の増加度を検出する静電容量センサであり、検出した静電容量の増加度が設定された閾値を超えた場合に前記所定の信号を出力し、前記タッチセンサをタッチセンサとして使用するために前記閾値を所定の第一閾値にして設定し、前記タッチセンサを前記近接センサとして使用するために前記閾値を前記第一閾値より小さな所定の第二閾値にして設定する、ことを特徴とする付記４記載の着座状態判別装置。
（付記６）
前記制御部は、前記シートベルトが、一方の端部を前記第一固定部に固定し他方の端部側から前記第二固定部の位置で前記収納部に引き込まれた状態で、複数の前記タッチセンサのうちの前記所定の信号を出力した前記タッチセンサのうちの前記第一固定部の位置から最も近い位置の前記タッチセンサの位置を前記第二固定部の位置と判別し、前記第一固定部の位置から前記第二固定部の位置までの距離をシートベルト未使用時の前記初期シートベルト長として予め測定しておく、
ことを特徴とする付記２記載の着座状態判別装置。
（付記７）
前記制御部は座席未使用の場合に前記タングが前記バックルに挿入された状態で、複数の前記タッチセンサのうちの前記所定の信号を出力した前記タッチセンサの位置のうち、前記第一固定部に最も近いタッチセンサの位置を前記タングの位置と判別し、前記所定の信号を出力した前記タッチセンサのうちの前記第一固定部の位置から二番目に近い位置の前記タッチセンサの位置を前記第二固定部の位置と判別し、前記第一固定部の位置から前記第二固定部の位置までの距離を未着座時のシートベルト長を示す前記未着座時シートベルト長として予め測定しておく、
ことを特徴とする付記３記載の着座状態判別装置。
（付記８）
指示に基づき警報を出力する警報部を更に備え、
前記制御部は、前記着座センサにより着座を検出し、前記シートベルト検出センサにより前記シートベルトが使用されていないことを検出した場合、シートベルトの着用を促す警報の出力を前記警報部に指示する、
ことを特徴とする付記１記載の着座状態判別装置。
（付記９）
指示に基づき警報を出力する警報部を更に備え、
前記制御部は、前記シートベルト長が前記初期シートベルト長と略同じであった場合、異物がバックルに装着されたことを示す警報の出力を前記警報部に指示する、
ことを特徴とする付記２記載の着座状態判別装置。
（付記１０）
指示に基づき警報を出力する警報部を更に備え、
前記制御部は、前記シートベルト長が前記未着座時シートベルト長と略同じであった場合、不正使用を示す警報の出力を前記警報部に指示する、
ことを特徴とする付記３記載の着座状態判別装置。
（付記１１）
指示に基づき警報を出力する警報部を更に備え、
前記制御部は、前傾姿勢をしていることを示す警報の出力を前記警報部に指示する、
ことを特徴とする付記４記載の着座状態判別装置。
（付記１２）
付記１から４のいずれか一項に記載の着座状態判別装置に用いられるシートベルトであって、
一方の端部を前記第一固定部に固定し、他方の端部側から前記第二固定部の位置で前記収納部に引き込まれて収納される帯状のベルトと、
前記帯状のベルト内にこのベルトの長尺方向に並べられ、指示に基づき接触の検出と近接の検出とを切り替え、検出に際し前記所定の信号を出力する前記複数のセンサと、
前記帯状のベルトの一方の端部と他方の端部の間に設定され、前記座席の他端側に設けられた前記バックルに挿入する前記タングと、
を備えたことを特徴とするシートベルト。
（付記１３）
前記複数のセンサは、静電容量の増加度を検出する静電容量センサであり、前記検出した静電容量の増加度が設定された閾値を超えた場合に前記所定の信号を出力する、ことを特徴とする付記１２記載のシートベルト。
（付記１４）
着座を検出し、
タングがバックルに装着されたことを検出したときに、
接触の検出に際し所定の信号を出力する複数のタッチセンサが長尺方向の所定の位置に配置され、一方の端部が座席の第一固定部に固定され、他方の端部から第二固定部の位置で収納部に引き込まれ、前記一方の端部と前記他方の端部の間に配置され前記座席の他端側に設けられた前記バックルに挿入される前記タングを有するシートベルトに配置された前記所定の信号を出力した前記タッチセンサのうち前記第一固定部の位置から二番目に近いものの前記シートベルト内の位置と、前記第一固定部の位置との間の前記シートベルト上の距離とを求め、
この求めた前記距離と未使用時のシートベルトの前記収納部から出ている部分の長さとの比較結果により前記シートベルトの正常使用を判定する、
ことを特徴とする着座状態判別方法。
（付記１５）
前記シートベルトの複数の前記タッチセンサのうちの前記所定の信号を出力した前記センサのうちの前記第一固定部に最も近いタッチセンサの位置を前記タングの位置と判別し、
前記所定の信号を出力した前記タッチセンサのうちの前記第一固定部の位置から二番目に近い位置の前記タッチセンサの位置を前記第二固定部の位置と判別し、
前記第一固定部の位置から前記第二固定部の位置までの距離を前記シートベルト長として算出し、
このシートベルト長が前記初期シートベルト長と略同じであった場合、正常に使用していないことを検出する、
ことを特徴とする付記１４記載の着座状態判別方法。
（付記１６）
前記シートベルト長が前記初期シートベルト長と略同じでなかった場合、前記シートベルト長が、予め測定しておいた未着座時に前記タングを前記バックルに挿入したときの前記第一固定部の位置から前記第二固定部の位置までの距離を示す未着座時シートベルト長と略同じであった場合に、正常に使用していないことを検出する、
ことを特徴とする付記１５記載の着座状態判別方法。
（付記１７）
前記シートベルト長が前記未着座時シートベルト長と略同じでなかった場合、前記複数のタッチセンサに近接の検出を行う近接センサへ切り替える指示を出力して、前記複数のタッチセンサを複数の近接センサに切り替え、
バックシートセンサがバックシートに背を接触していることを検出している場合、前記タングの位置から前記第二固定位置の間での前記所定の信号を出力している前記近接センサのうちの前記第二固定に最も近い前記近接センサの位置をシートベルト装着時における肩の位置とし、
装着時以降に前記肩の位置を監視し、この肩の位置が装着時より所定以上増加した場合、車両からのギア信号を調べ、この信号がドライブを示す信号であった場合、前傾姿勢をしていると判定する、
ことを特徴とする付記１６記載の着座状態判別方法。
（付記１８）
前記複数のタッチセンサは、静電容量の増加度を検出する静電容量センサであり、検出した静電容量の増加度が設定された閾値を超えた場合に前記所定の信号を出力し、前記タッチセンサをタッチセンサとして使用するために前記閾値を所定の第一閾値にして設定し、前記タッチセンサを前記近接センサとして使用するために前記閾値を前記第一閾値より小さな所定の第二閾値にして設定する、
ことを特徴とする付記１７記載の着座状態判別方法。
（付記１９）
前記シートベルトが、一方の端部を前記第一固定部に固定し他方の端部側から前記第二固定部の位置で前記収納部に引き込まれた状態で、複数の前記タッチセンサのうちの前記所定の信号を出力した前記タッチセンサのうちの前記第一固定部の位置から最も近い位置の前記タッチセンサの位置を前記第二固定部の位置と判別し、
前記第一固定部の位置から前記第二固定部の位置までの距離をシートベルト未使用時の前記初期シートベルト長として予め測定しておく、
ことを特徴とする付記１５記載の着座状態判別方法。
（付記２０）
座席未使用の場合に前記タングが前記バックルに挿入された状態で、複数の前記タッチセンサのうちの前記所定の信号を出力した前記タッチセンサの位置のうち、前記第一固定部に最も近いタッチセンサの位置を前記タングの位置と判別し、
前記所定の信号を出力した前記タッチセンサのうちの前記第一固定部の位置から二番目に近い位置の前記タッチセンサの位置を前記第二固定部の位置と判別し、  前記第一固定部の位置から前記第二固定部の位置までの距離を未着座時のシートベルト長を示す前記未着座時シートベルト長として予め測定しておく、
ことを特徴とする付記１６記載の着座状態判別方法。
（付記２１）
着座を検出し、前記シートベルトが使用されていないことを検出した場合、
シートベルトの着用を促す警報を出力する、ことを特徴とする付記１４記載の着座状態判別方法。
（付記２２）
前記シートベルト長が前記初期シートベルト長と略同じであった場合、異物がバックルに装着されたことを示す警報を出力する、ことを特徴とする付記１５記載の着座状態判別方法。
（付記２３）
前記シートベルト長が前記未着座時シートベルト長と略同じであった場合、不正使用を示す警報を出力する、ことを特徴とする付記１６記載の着座状態判別方法。
（付記２４）
乗車している車両からの前記ギア信号がドライブを示す信号であった場合、前傾姿勢をしていることを示す警報を出力する、ことを特徴とする付記１７記載の着座状態判別方法。
【符号の説明】
【００７３】
１  着座状態判別装置
２  着座センサ
３  シートベルト
４  シートベルト検出センサ
５  制御部
６  第一固定部
７  第二固定部
８  タング
９  バックル
１０  収納部
１１  静電容量センサ
１２  バックシートセンサ
【図１】
2014221562.tif 000003
【図２】
2014221562.tif 000004
【図３】
2014221562.tif 000005
【図４】
2014221562.tif 000006
【図５】
2014221562.tif 000007
【図６】
2014221562.tif 000008
【図７】
2014221562.tif 000009